(57)【要約】【課題】建造物の壁以外に梁，桁，柱等を利用することにより、トイレや風呂場等の各種設置場所の構造の違い或いは便器や浴槽、ベッド等の各種設備の配置の違い等によらず、利用者のすぐ手の届く範囲に吊り輪を簡便かつ確実強固に設置でき、手先や肩等の動きが不自由な障害者、腕の力や足腰が弱い高齢者や病弱者等を安全かつ確実に支持することのできる立ち上がり補助具の提供。【解決手段】梁又は桁に固定され垂下される２本の垂直部材と、２本の垂直部材に渡設された水平横行部材と、水平横行部材に上端部が挿通又は掛止された２本の吊下部と、各々の吊下部の下端部側に配設され懸下された複数の吊り輪と、吊り輪と吊り輪との間に屈曲自在に取り付けられ吊り輪を順次連結する連結部と、を備えている。【選択図】図１
0003121978.tif 000002
【実用新案登録請求の範囲】
【請求項１】
梁又は桁に固定され垂下される２本の垂直部材と、前記２本の垂直部材に渡設された水平横行部材と、前記水平横行部材に上端部が挿通又は掛止された２本の吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えたことを特徴とする立ち上がり補助具。
【請求項２】
壁間，梁間，桁間，柱間のいずれかに架設される２本の水平架設部材と、前記２本の水平架設部材の各々に上端部が挿通又は掛止された吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えたことを特徴とする立ち上がり補助具。
【請求項３】
壁間，梁間，桁間，柱間のいずれかに架設される２本の水平架設部材と、前記２本の水平架設部材の間に渡設された水平横行部材と、前記水平横行部材に上端部が挿通又は掛止された２本の吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えたことを特徴とする立ち上がり補助具。
【請求項４】
壁間，梁間，桁間，柱間のいずれかに架設される２本の水平架設部材と、前記２本の水平架設部材の各々に垂下された垂直部材と、２本の前記垂直部材に渡設された水平横行部材と、前記水平横行部材に上端部が挿通又は掛止された２本の吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えたことを特徴とする立ち上がり補助具。
【請求項５】
前記垂直部材が、天井板に穿設された貫設孔を貫通して配設されたことを特徴とする請求項１又は４に記載の立ち上がり補助具。
【請求項６】
一端側が前記水平横行部材若しくは前記水平架設部材の少なくともいずれか一方の長手方向の途中に固設され、他端側が天井板，壁，梁，桁，柱のいずれかに固定される１以上の中間保持部材を備えたことを特徴とする請求項１乃至５の内いずれか１項に記載の立ち上がり補助具。
【考案の詳細な説明】
【技術分野】
【０００１】
本考案は、体力の弱い病人や高齢者等が浴室やトイレ等の衛生設備を含むサニタリールームやベッド、車椅子等を使用する際に、その移動や立ち上がり等の動作において介助のための確実な支持点を提供することのできる立ち上がり補助具に関する。
【背景技術】
【０００２】
近年における高齢化社会の到来に伴って家庭内や病院、老人介護施設等における高齢者や病人の動作を補助するために浴室やトイレ等のサニタリールームに手摺等の立ち上がり補助具を設けることが義務付けられる等、その安全性を確保するような対策が講じられている。
例えば、（特許文献１）には、「浴室の天井部に洗い場から浴槽にかけて横棒を架設し、その横棒に吊り輪を移動自在に懸下した入浴装置。」が開示されている。
（特許文献２）には、「襖や障子などの仕切体に、手摺等の動作補助部材が設けられている立ち上がり動作等の動作補助装置。」が開示されている。
（特許文献３）には、「手すりや吊下環を備えた身体障害者用便動作訓練装置。」が開示されている。
（特許文献４）には、「壁間に架設される水平横行部材と、前記水平横行部材に上端部が挿通又は掛止された吊下部と、前記吊下部の下端部側に連結部を介して連結された１以上の吊り輪を備えたことを特徴とする立ち上がり補助具。」が開示されている。
【特許文献１】特開平７−１８９５０８号公報
【特許文献２】特開平１０−２７７０９６号公報
【特許文献３】特開昭５４−１２１５４７号公報
【特許文献４】特開２００２−３０６３７９号公報
【考案の開示】
【考案が解決しようとする課題】
【０００３】
しかしながら、上記従来の立ち上がり補助具は、以下のような課題を有していた。
（１）（特許文献１）乃至（特許文献３）のように、浴室やトイレの壁などに手摺を固定して取り付けた場合には、その部屋の中央部に置かれる便座や浴槽から離れた位置の壁際に手摺が設定されるために、腰を屈めたり伸ばしたりすることの困難な高齢者にとっては非常に使いづらいという課題があった。また、手摺等の立ち上がり補助具が壁部に取り付けられるので、アパートやマンション等の既設のトイレや浴室内の人の動き得るスペースが削減され、狭い室内では適用できない場合があるという課題があった。さらに、横棒，手摺，天井金網等に取り付けられた吊り輪が一つしかないために、手先や肩等の動きが不自由な障害者等にとっては、一つの吊り輪のみを手で掴んで立ち上がるような動作を行うことは困難であり、立ち上がり補助具として有効に利用できないという課題があった。
（２）特に（特許文献１）では、横棒に取り付けられる吊り輪の基部がこの横棒に対して移動自在になっているので、一つの吊り輪に体重をかけた際に、水平方向の力によって吊り輪の基部が横棒に沿って滑り、バランスを崩し易いために、手足が弱り足元のおぼつかない病人や老人は転倒する可能性があり、安全性に欠けるという課題があった。
（３）（特許文献２）では、手摺が襖の引き手孔内に嵌まり込む埋め板を供えたブラケットと他方のブラケットとの間に固定されており、手摺を固定するブラケットや襖の機械的強度が乏しいので、障害者等が吊り手を掴んで全体重をかけて立ち上がったときに、ブラケットや襖が壊れ、体を支持できないことがあり安全性に欠けるという課題があった。また、一つの吊り手をトイレ内に吊り下げた場合、障害者や高齢者等は、吊り手を掴み腕を曲げて腕力だけで体を持ち上げなければならないため、自力で車椅子や便座から体を浮かせ、移動させることが困難であり、特に腕力の乏しい障害者等は、介助者がいなければ、一人ではトイレに行くことができないという課題があった。さらに、握力がない障害者等が吊り輪を握らないで、吊り輪に腕や肘、肩等を通すと、腕等に対する吊り輪の支持点が１点しかないため、安定した姿勢を保持させることが困難であり、立ち上がり補助具として有効に利用できないという課題があった。
（４）（特許文献３）では、吊下環が機械的強度の小さな天井金網に吊り下げられているので、障害者等が吊下環を掴んで全体重をかけて立ち上がったときに天井金網が変形して、体を支持できないことがあり安全性に欠けるという課題があった。また、吊下環が一つだけしか吊り下げられていないので、（特許文献２）と同様に、障害者や高齢者等が自力で立ち上がることや安定した姿勢を保持することが困難で、一人ではトイレに行くことができないという課題があった。さらに、吊下環が一つだけしか吊り下げられていないので、吊下環を掴んだ障害者等がふらついて姿勢が崩れた場合には、体が回転して姿勢を維持できなくなるため、ほとんどの人が吊り輪を離して床に倒れてしまい、床や壁等に頭等をぶつけることがあり安全性に欠けるという課題があった。また、トイレを使用中に地震が起こった場合は、一つだけしかない吊下環が激しく揺れるため、吊下環を掴んでも体を安定させることが困難で、激しい揺れに耐え切れず体が跳ね飛ばされる可能性があり、信頼性に欠けるという課題があった。
（５）本願出願人は、前述の（特許文献１）乃至（特許文献３）の課題を解決するために鋭意検討を行い（特許文献４）を出願した。
（特許文献４）は、壁間に架設される水平横行部材と、水平横行部材に上端部が挿通又は掛止された２本の吊下部と、吊下部の下端部側に配設され懸下された複数の吊り輪と、吊り輪と吊り輪との間に屈曲自在に取り付けられ吊り輪を順次連結する連結部と、を備えることにより、腕を曲げて腕力だけで体を持ち上げなくても、吊り輪にすがって腕を伸ばしたまま反動をつけながら左右交互に上側の吊り輪を掴み直すことで、体を持ち上げ体を浮かせることができ、また体を浮かせた後は両手で吊り輪を掴んだまま足を軸にして体を回転させながら体重を移動させて便座やベッド等と車椅子との間で容易に体を移すことができ、腕力の乏しい障害者等であっても、一人で立ち上がったり座ったりすることができるので、介助者の助けを借りなくても一人で進んでトイレや浴室等に行くことができ、障害者等のプライバシーを守ることができるとともに自立心を養い、さらに介助者の付き添いの必要がなくなり、又、付き添ったとしても最低限の介助で済むため介助者の負担を著しく軽減することができ、また体が回転し難く安定した姿勢を維持でき床等に転倒し難く、吊り輪にすがれば地震の激しい揺れにも耐え体が跳ね飛ばされるのを防ぎ安定性と安全性に優れ、また吊り輪を握るだけの握力がない場合でも、複数箇所で腕等を支持することができ安定した姿勢を保持させることができ安全性と利便性に優れ、さらに堅牢で機械的強度が高く信頼性に優れるものであった。
しかしながら、吊り輪を懸下するための吊下部を壁間に架設される水平横行部材に挿通又は掛止する構造であるため、水平横行部材を架設する壁に強度が要求されると共に、壁の位置によって水平横行部材の取り付け方向が限定されてしまうため、トイレや風呂場等の構造或いは便器や浴槽、ベッド等の配置によっては、立ち上がり補助具を取り付けることができず、汎用性に欠けるという課題を有しており、その改善が強く望まれていた。
【０００４】
本考案は上記の要望に応えるもので、建造物の壁以外に梁，桁，柱等を利用することにより、トイレや風呂場等の各種設置場所の構造の違い或いは便器や浴槽、ベッド等の各種設備の配置の違い等によらず、利用者のすぐ手の届く範囲に吊り輪を簡便かつ確実強固に設置でき、手先や肩等の動きが不自由な障害者、腕の力や足腰が弱い高齢者や病弱者等を安全かつ確実に支持することのできる立ち上がり補助具の提供を目的とする。
【課題を解決するための手段】
【０００５】
上記課題を解決するために本考案の立ち上がり補助具は、以下の構成を有している。
本考案の請求項１に記載の立ち上がり補助具は、梁又は桁に固定され垂下される２本の垂直部材と、前記２本の垂直部材に渡設された水平横行部材と、前記水平横行部材に上端部が挿通又は掛止された２本の吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えた構成を有している。
この構成により、以下のような作用を有する。
（１）吊り輪を懸下するための吊下部が挿通又は掛止される水平横行部材が、梁又は桁に固定され垂下される２本の垂直部材に渡設されるので、近くに壁がない場合や壁に十分な強度がない場合でも、利用者のすぐ手の届く範囲に簡便かつ確実に吊り輪を設置することができ汎用性、施工性に優れる。
（２）水平横行部材が２本の垂直部材に渡設されるので、梁や桁の高さに応じて垂直部材の長さを変更することにより、吊り輪の位置を調整することができ、吊下部が長くなり、吊り輪にすがった際に揺れの振幅が大きくなり不安定になるのを防止して、吊り輪の可動範囲を最適に保つことができ、体重移動時の動作安定性に優れる。
（３）水平横行部材が渡設される垂直部材が梁又は桁に固定されるので、小スぺースでも簡便に設置でき省スペース性に優れると共に、大きな荷重がかかっても確実に保持することができ、堅牢性、耐久性に優れる。
（４）吊下部及び連結部を介して複数の吊り輪を連結させ懸下させているので、とっさの場合でも手元近くに配置された吊り輪を容易に握ることができ、安全性に優れる。
（５）複数の吊り輪を連結部を介して互いに屈曲自在に連結させて懸下させているので、手先が不自由な人や重度の病人であっても吊り輪を握って、また握力がないときは吊り輪を握ることなく、互いに屈曲された複数の吊り輪に腕や肘、肩等を通すことにより容易にバランスを取って安定した姿勢を保持することができ、安全性と利便性に優れる。
（６）構造が簡単でトイレや浴室等への取り付けが容易であり、しかも電気等の駆動源を必要としないので、省エネルギー性、メンテナンス性、安全性に優れる。
（７）２本の吊下部を人間の肩幅程度の間隔で配置することにより、手足の弱った人でも身体の左右両側の吊り輪にすがって容易に立ち上がったり、座ったりすることができ、利用者を安全に介助することができる。
【０００６】
ここで、垂直部材は、その上端部がトイレ，浴室，寝室等の各種設置場所にある梁や桁にボルトやナット、釘等で固定される。
垂直部材や水平横行部材としては、丸パイプ状や角パイプ状等の軽量な中空部材が好適に用いられる。また、材質には鉄やステンレス等の金属やポリスチレンやポリアミド、ポリエステル等の合成樹脂等が好適に用いられる。垂直部材と水平横行部材は中空部材等の部材を略コ字型に折曲して一体に形成してもよいし、別々の部材をＬ字状の連結部材などを介してねじ止め、溶着、溶接等の手段で互いに固定して形成してもよい。
吊下部としては、可撓性、柔軟性を有する合成樹脂や皮革等でベルト状や紐状に形成したものや、合成樹脂や金属で鎖状に形成したものが好適に用いられる。これにより、利用者が容易に吊り輪の位置を移動させることができ、吊下部を傾けたり、屈曲させたりして簡便に体重移動を行うことができる。吊下部は全体或いは上端部のみを環状に形成して水平横行部材に挿通又は掛止させることができる。
吊り輪は、利用者の腕や肩等が入る大きさに円形又は三角形状、四角形状、その他の多角形状等に形成することができ、鉄やステンレス等の金属製やポリスチレンやポリアミド、ポリエステル等の合成樹脂製のものが好適に用いられる。
連結部としては、屈曲自在なものであればよいが、合成樹脂や皮革等で形成されたものが好適に用いられる。
【０００７】
水平横行部材の上面側に突起を形成し、吊り輪を懸下させる吊下部の上端部に形成した掛止孔を突起に掛止して固定するようにしもよい。これにより、利用者の体重等が吊り輪に付加された状態では吊下部が外れるようなことがなく、利用者の姿勢を安定に維持して、立ち上がり動作や体重移動などを安全に行うことができる。
水平横行部材の上面に形成する突起は、水平横行部材の上面側に突出して配置されたボルトや釘等の上部で形成したり、合成樹脂製や金属製の頭部を有した部材を水平横行部材に埋め込み、溶着、溶接等の手段により固定して形成したりできる。
突起に嵌合される吊下部の掛止孔は、ベルト状等に形成された吊下部の上端部にパンチやドリル等の穿孔具を用いて形成することができる。
尚、掛止孔を掛止させるための突起を水平横行部材の上面側に複数設け、必要に応じて、吊下部の取り付け位置を変更して用いることにより、その汎用性をさらに高めることができる。
【０００８】
２本の吊下部の各々に複数の吊り輪が順次縦方向に懸下されているので、例えば、吊り輪をトイレの便座を挟んだ両側に吊り下げた場合、障害者や高齢者等が車椅子で便座に近づいた後、両手を上げて両手で下側の吊り輪を握ることができ、腕を曲げて腕力だけで体を持ち上げなくても、吊り輪にすがって腕を伸ばしたまま反動をつけながら左右交互に上側の吊り輪を掴み直すことで、体を持ち上げ車椅子から体を浮かせることができる。体重が吊り輪で支持されるので、両手で吊り輪を掴んだまま足を車椅子から床に下ろすことができ、足を軸にして体を回転させながら体重を移動させて、便座の上方に容易に体を移すことができる。さらに、上側の吊り輪から下側の吊り輪を左右交互に順次掴み直すことで体を下ろし、自力で便座に腰掛けることができる。また、排泄後は逆の動作を行うことで、自力で便座から車椅子へ移動することができる。
【０００９】
請求項２に記載の立ち上がり補助具は、壁間，梁間，桁間，柱間のいずれかに架設される２本の水平架設部材と、前記２本の水平架設部材の各々に上端部が挿通又は掛止された吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えた構成を有している。
この構成により、請求項１の（４）乃至（７）の作用に加え、以下のような作用を有する。
（１）壁間，梁間，桁間，柱間のいずれかに架設される２本の水平架設部材の各々に吊り輪を懸下するための吊下部が挿通又は掛止されるので、水平架設部材の長手方向の任意の位置に簡便かつ確実に吊り輪を設置することができ汎用性、施工性に優れる。
（２）吊り輪を懸下するための吊下部が挿通又は掛止される２本の水平架設部材が、それぞれ壁間，梁間，桁間，柱間のいずれかに架設されるので、利用者の体重などを２本の水平架設部材で分担して各々の負荷を低減することができ、耐久性を向上させることができる。
（３）水平架設部材が壁間，梁間，桁間，柱間のいずれかに固定されるので、設置自在性、施工性に優れる。
【００１０】
ここで、水平架設部材は、その両端部がトイレ，浴室，寝室等の各種設置場所にある壁，梁，桁，柱にボルトやナット、螺子、釘等で固定される。
この水平架設部材は請求項１で説明した垂直部材や水平横行部材と同様のものが好適に用いられる。
また、吊下部、吊り輪、連結部についても請求項１で説明したものと同様なので説明を省略する。
【００１１】
請求項３に記載の立ち上がり補助具は、壁間，梁間，桁間，柱間のいずれかに架設される２本の水平架設部材と、前記２本の水平架設部材の間に渡設された水平横行部材と、前記水平横行部材に上端部が挿通又は掛止された２本の吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えた構成を有している。
この構成により、請求項１の（４）乃至（７）の作用に加え、以下のような作用を有する。
（１）壁間，梁間，桁間，柱間のいずれかに架設される２本の水平架設部材の間に渡設された水平横行部材に吊り輪を懸下するための２本の吊下部が挿通又は掛止されるので、水平架設部材の長手方向の任意の位置に水平横行部材を渡設させ、簡便かつ確実に吊り輪を設置することができ汎用性、施工性に優れる。
（２）吊り輪を懸下するための吊下部が挿通又は掛止される水平横行部材が、壁間，梁間，桁間，柱間のいずれかに架設された２本の水平架設部材に渡設されるので、利用者の体重などを２本の水平架設部材で分担して水平横行部材や水平架設部材の負荷を低減することができ、耐久性を向上させることができる。
（３）２本の水平架設部材が壁間，梁間，桁間，柱間のいずれかに固定され、その水平架設部材の間に水平横行部材が渡設されるので、設置自在性、施工性に優れる。
【００１２】
ここで、水平架設部材は請求項２で説明したものと同様なので説明を省略する。
また、水平横行部材、吊下部、吊り輪、連結部についても請求項１で説明したものと同様なので説明を省略する。
尚、水平横行部材は２本の水平架設部材の長手方向の任意の位置に、任意の間隔で任意の数だけ設けることができる。予め複数の水平横行部材を設けることにより、任意の場所を選択して吊り輪を設置することができ、汎用性に優れる。また、複数の水平横行部材にそれぞれ吊り輪を配設することにより、複数の便器が併設されているトイレや複数のベッドが併設されている部屋で水平架設部材を共有することができ、施工性、設置自在性に優れる。
【００１３】
請求項４に記載の立ち上がり補助具は、壁間，梁間，桁間，柱間のいずれかに架設される２本の水平架設部材と、前記２本の水平架設部材の各々に垂下された垂直部材と、２本の前記垂直部材に渡設された水平横行部材と、前記水平横行部材に上端部が挿通又は掛止された２本の吊下部と、前記各々の吊下部の下端部側に配設され懸下された複数の吊り輪と、前記吊り輪と前記吊り輪との間に屈曲自在に取り付けられ前記吊り輪を順次連結する連結部と、を備えた構成を有している。
この構成により、請求項１の（４）乃至（７）の作用に加え、以下のような作用を有する。
（１）壁間，梁間，桁間，柱間のいずれかに架設される２本の水平架設部材の各々に垂直部材が垂下され、その垂直部材の間に渡設された水平横行部材に吊り輪を懸下するための２本の吊下部が挿通又は掛止されるので、水平架設部材の長手方向の任意の位置に垂直部材を介して水平横行部材を渡設させ、簡便かつ確実に吊り輪を設置することができ汎用性、施工性に優れる。
（２）吊り輪を懸下するための吊下部が挿通又は掛止される水平横行部材が、壁間，梁間，桁間，柱間のいずれかに架設された２本の水平架設部材に垂直部材を介して渡設されるので、利用者の体重などを２本の水平架設部材で分担して水平横行部材や垂直部材、水平架設部材の負荷を低減することができ、耐久性を向上させることができる。
（３）水平横行部材が２本の水平架設部材の各々に垂下された垂直部材に渡設されるので、水平架設部材の取り付け高さに応じて垂直部材の長さを変更することにより、吊り輪の位置を調整することができ、吊下部が極端に長くなったり、短くなったりすることを防止して、吊り輪の可動範囲を最適に保つことができ、体重移動時の動作安定性に優れる。
（４）２本の水平架設部材が壁間，梁間，桁間，柱間のいずれかに固定され、その水平架設部材の間に水平横行部材が渡設されるので、設置自在性、施工性に優れる。
【００１４】
ここで、水平架設部材は請求項２で説明したものと同様なので説明を省略する。
垂直部材及び水平横行部材は請求項１で説明したものと同様に形成することができ、垂直部材と水平架設部材との固定には、ねじ止め、溶着、溶接等の手段が好適に用いられる。
また、水平横行部材、吊下部、吊り輪、連結部についても請求項１で説明したものと同様なので説明を省略する。
尚、請求項３と同様に垂直部材及び水平横行部材は２本の水平架設部材の長手方向の任意の位置に、任意の間隔で任意の数だけ設けることができる。これにより、吊り輪の設置自在性に優れ、複数の利用者が同時に利用可能で汎用性に優れる。
【００１５】
請求項５に記載の立ち上がり補助具は、請求項１又は４に記載の立ち上がり補助具であって、前記垂直部材が、天井板に穿設された貫設孔を貫通して配設された構成を有している。
この構成により、請求項１又は４の作用に加え、以下のような作用を有する。
（１）垂直部材を天井板に穿設した貫設孔を貫通して配設することにより、天井裏にある梁又は桁を有効に利用して垂直部材を固定したり、天井裏の壁間，梁間，桁間，柱間のいずれかに水平架設部材を架設して垂直部材を固定したりすることができ、天井が低い場所でも設置が可能で省スペース性に優れ、設置スペースを有効活用することができる。
【００１６】
ここで、垂直部材の上端部を天井裏の梁又は桁或いは天井裏の壁間，梁間，桁間，柱間のいずれかに架設された水平架設部材に固定することができるので、設置場所における天井部の美観を損ねることがない。また、天井部に水平架設部材が露出せず、出っ張りを最小限に抑えることができるので、天井が低くなることもなく、歩行の妨げにもならない。
【００１７】
請求項６に記載の立ち上がり補助具は、請求項１乃至５の内いずれか１項に記載の立ち上がり補助具であって、一端側が前記水平横行部材若しくは前記水平架設部材の少なくともいずれか一方の長手方向の途中に固設され、他端側が天井板，壁，梁，桁，柱のいずれかに固定される１以上の中間保持部材を備えた構成を有している。
この構成により、請求項１乃至５の内いずれか１項の作用に加え、以下のような作用を有する。
（１）一端側が水平横行部材若しくは水平架設部材の長手方向の途中に固設された中間保持部材の他端側を天井板，壁，梁，桁，柱のいずれかに固定することにより、水平横行部材若しくは水平架設部材を確実に保持することができ、特に水平横行部材や水平架設部材が長尺の場合でもたわみ等の変形を防止することができ、耐荷重の信頼性に優れる。
（２）中間保持部材を有することにより、構造的に大きな負荷の掛けられない壁側への力を分散し耐久性を向上させることができ、建築物の構造的な制約を受けることがなく、設置自在性に優れる。
【００１８】
ここで、中間保持部材は垂直部材や水平横行部材等と同様に形成することができる。水平横行部材や水平架設部材と中間保持部材との固定は、Ｔ字状の連結部材などを介してねじ止め、溶着、溶接等の手段で行うことができる。中間保持部材の他端側にフランジなどを配設することにより、ボルトやナット、釘などを介して天井板，壁，梁，桁，柱に固定することができる。
【考案の効果】
【００１９】
以上のように、本考案の立ち上がり補助具によれば、以下のような有利な効果が得られる。
請求項１に記載の考案によれば、以下のような効果を有する。
（１）梁又は桁に固定された垂直部材を介して水平横行部材を渡設し、吊り輪を設置することができるので、設置場所の構造上の制約を受けることなく、利用者のすぐ手の届く範囲に簡便かつ確実に吊り輪を設置することができる汎用性、施工性に優れた立ち上がり補助具を提供することができる。
（２）水平横行部材が渡設される垂直部材の長さを梁や桁の高さに応じて変更することにより、簡便に吊り輪の位置を調整することができるので、吊下部の長さを最適に保って吊り輪の可動範囲を確保することができ、体重移動時の動作安定性に優れた立ち上がり補助具を提供することができる。
（３）水平横行部材が渡設される垂直部材を直接、梁又は桁に固定することにより、設置自在性、省スペース性に優れると共に、堅牢性、耐久性に優れた立ち上がり補助具を提供することができる。
【００２０】
請求項２に記載の考案によれば、以下の効果を有する。
（１）水平架設部材の長手方向の任意の位置に吊下部を設けることができ、壁間，梁間，桁間，柱間の距離によらず、利用者のすぐ手の届く範囲に簡便かつ確実に吊り輪を設置することができる汎用性、施工性に優れた立ち上がり補助具を提供することができる。
（２）壁間，梁間，桁間，柱間のいずれかに架設された２本の水平架設部材により、利用者の体重などの負荷を分散して支持することができ、各部の負荷を低減して耐久性を向上させることができる信頼性、安全性に優れた立ち上がり補助具を提供することができる。
（３）水平架設部材を壁間，梁間，桁間，柱間のいずれかに固定することにより簡便に設置することができる設置自在性、施工性に優れた立ち上がり補助具を提供することができる。
【００２１】
請求項３に記載の考案によれば、請求項２の（２）及び（３）の効果に加え、以下の効果を有する。
（１）水平架設部材の長手方向の任意の位置に水平横行部材を渡設して吊下部を設けることができ、壁間，梁間，桁間，柱間の距離によらず、利用者のすぐ手の届く範囲に簡便かつ確実に吊り輪を設置することができる汎用性、施工性に優れた立ち上がり補助具を提供することができる。
【００２２】
請求項４に記載の考案によれば、請求項２の（２）及び（３）の効果に加え、以下の効果が得られる。
（１）水平架設部材の長手方向の任意の位置に垂直部材を介して水平横行部材を渡設して吊下部を設けることができ、壁間，梁間，桁間，柱間の距離によらず、利用者のすぐ手の届く範囲に簡便かつ確実に吊り輪を設置することができる汎用性、施工性に優れた立ち上がり補助具を提供することができる。
（２）水平横行部材が渡設される垂直部材の長さを水平架設部材の取り付け高さに応じて変更することにより、簡便に吊り輪の位置を調整することができるので、吊下部の長さを最適に保って吊り輪の可動範囲を確保することができ、体重移動時の動作安定性に優れた立ち上がり補助具を提供することができる。
【００２３】
請求項５に記載の考案によれば、請求項１又は４の効果に加え、以下の効果が得られる。
（１）天井裏にある梁又は桁或いは天井裏の壁間，梁間，桁間，柱間のいずれかに架設した水平架設部材に固定された垂直部材を天井板に貫通させて配置することにより、天井が低い場所などでも設置することができ、設置自在性、省スペース性に優れ、設置スペースを有効活用することができる汎用性に優れた立ち上がり補助具を提供することができる。
【００２４】
請求項６に記載の考案によれば、請求項１乃至５の内いずれか１項の効果に加え、以下の効果が得られる。
（１）天井板，壁，梁，桁，柱と、水平横行部材若しくは水平架設部材と、の間を中間保持部材で連結、固定することにより、水平横行部材や水平架設部材のたわみ等の変形を確実に防止することができる耐荷重の信頼性に優れた立ち上がり補助具を提供することができる。
（２）中間保持部材を有することにより、構造的に大きな負荷の掛けられない壁側への力を分散し耐久性を向上させることができ、建築物の構造的な制約を受けることがなく、設置自在性に優れた立ち上がり補助具を提供することができる。
【考案を実施するための最良の形態】
【００２５】
（実施の形態１）
以下、本考案の実施の形態１における立ち上がり補助具について、以下図面を参照しながら説明する。
図１は本考案の実施の形態１における立ち上がり補助具の取り付け状態を示す要部断面正面図である。
図１中、１はトイレ２０の天井部に取り付けられた実施の形態１の立ち上がり補助具、２は桁２４に垂下された立ち上がり補助具１の２本の垂直部材、２ａは垂直部材２の上端部に配設され桁２４の下面にボルトやナット、螺子、釘などの固定手段により固定された垂直部材２の固定部、３は垂直部材２と一体に形成された立ち上がり補助具１の水平横行部材、４は皮革や合成樹脂等で帯状等に形成され上端部が水平横行部材３の左右両側にそれぞれ掛止された立ち上がり補助具１の２本の吊下部、５ａ，５ｂ，５ｃはポリエチレン，ポリプロピレン，ポリカーボネイト等の合成樹脂や金属等で円環状や三角形状に形成され各々の吊下部４の下端部側に配設され懸下された立ち上がり補助具１の複数の吊り輪、６ａ，６ｂはそれぞれ皮革や合成樹脂等で帯状等に形成され吊り輪５ａ，５ｂ及び吊り輪５ｂ，５ｃの間に屈曲自在に取り付けられ吊り輪５ａ〜５ｃを順次連結する立ち上がり補助具１の連結部、２１はトイレ２０の両側の壁、２２は一方の壁２１に配設されたトイレ２０のドア、２３はトイレ２０の天井板、２３ａは天井板２３に穿設され垂直部材２が貫通して配設された貫設孔、２４はトイレ２０の天井裏に配設された桁、３０はトイレ２０の略中央部に配置された便器である。
【００２６】
吊下部４はその両端部が環状に形成され、それぞれの環状部に水平横行部材３と吊り輪５ａが挿通されて両者が連結されている。
吊り輪５ａ，５ｂ，５ｃのそれぞれの輪の大きさは同一にしてもよく、また、輪の大きさが異なるものを所定の配列で組み合わせて用いることもできる。尚、吊り輪５ａ，５ｂ，５ｃの形状は円環状や三角形状以外に、楕円形状、四角形状等の全体が閉じた環状のものやＣ型状に環の一部が切断されたものを用いることができる。
連結部６ａ、６ｂは吊り輪５ａ，５ｂ，５ｃを連結するための掛止具であり、皮製や合成樹脂製等の帯状素材で環状に形成して端部間をリベット等で止めたもの以外に、自在に回転できるスイベルジョイントを有した金属製のもの、チェーンや鎖などで形成したものあるいはこれらを組み合わせたもの等が適用できる。
【００２７】
垂直部材２及び水平横行部材３は直径が約１５〜５０ｍｍのスチール製パイプや、中実の鉄棒、高強度の木質製や合成樹脂製等の棒状体で形成した。垂直部材２及び水平横行部材３は一体に形成する代わりに、別部材で形成したものをねじ止め、溶着、溶接等の手段で互いに固定して形成してもよい。
また、垂直部材２はスチール製の小径パイプを大径パイプに摺動自在に嵌装し、所定長さにしてラッチボタンや螺子等で固定するように形成してもよい。これにより、トイレ２０や梁２４の高さに応じて吊り輪５ａ乃至５ｃの高さ方向の位置を自在に調整することができ、汎用性に優れる。
【００２８】
以上のように構成された実施の形態１の立ち上がり補助具の使用方法について説明する。
まず、高齢者や腰痛等の障害のある人がトイレ２０を使用する場合、水平横行部材３から懸下された立ち上がり補助具１の吊り輪５ａ乃至５ｃを掴んだり、腕を複数の吊り輪５ａ乃至５ｃに通したりして体重を支持しながら便器３０の位置に移動して着座する。
このとき、複数の吊り輪５ａ乃至５ｃが連結部６ａ，６ｂにより互いに屈曲できるように連結されているので、手で吊り輪５ａ乃至５ｃを掴んだり、腕や肘、肩の部分などを吊り輪５ａ乃至５ｃで有効に支持したりして安定した立ち上がり動作を行うことができる。
立ち上がる場合には、同様に吊り輪５ａ乃至５ｃを用いて足腰等に傷害のある人でも容易に便器３０の位置から離れることができ、車椅子等に乗り移ることができる。
尚、吊り輪５ａ乃至５ｃの数は本実施の形態に限定されるものではなく、任意の数を選択できる。また、本実施の形態では立ち上がり補助具１をトイレ２０に設置した場合について説明したが、風呂場の浴槽や寝室のベッドの上方などに設置して同様に使用できる。
【００２９】
以上のように構成された実施の形態１における立ち上がり補助具によれば、以下の作用を有する。
（１）吊り輪を懸下するための吊下部が挿通又は掛止される水平横行部材が、桁に固定され垂下される２本の垂直部材に渡設されるので、近くに壁がない場合や壁に十分な強度がない場合でも、利用者のすぐ手の届く範囲に簡便かつ確実に吊り輪を設置することができ汎用性、施工性に優れる。
（２）水平横行部材が２本の垂直部材に渡設されるので、桁の高さに応じて垂直部材の長さを変更することにより、吊り輪の位置を調整することができ、吊下部が極端に長くなったり、短くなったりすることを防止して、吊り輪の可動範囲を最適に保つことができ、着座や離座の際の体重移動時の動作安定性に優れる。
（３）水平横行部材が渡設される垂直部材が桁に固定されるので、小スぺースでも簡便に設置でき省スペース性に優れると共に、大きな荷重がかかっても確実に保持することができ、堅牢性、耐久性に優れる。
（４）吊下部及び連結部を介して複数の吊り輪を連結させ懸下させているので、とっさの場合でも手元近くに配置された吊り輪を容易に握ることができ、安全性に優れる。
（５）複数の吊り輪を連結部を介して互いに屈曲自在に連結させて懸下させているので、手先が不自由な人や重度の病人であっても吊り輪を握って、また握力がないときは吊り輪を握ることなく、互いに屈曲された複数の吊り輪に腕や肘、肩等を通すことにより容易にバランスを取って安定した姿勢を保持することができ、安全性と利便性に優れる。
（６）構造が簡単でトイレや浴室等への取り付けが容易であり、しかも電気等の駆動源を必要としないので、省エネルギー性、メンテナンス性、安全性に優れる。
（７）２本の吊下部を人間の肩幅程度の間隔で配置することにより、手足の弱った人でも身体の左右両側の吊り輪にすがって容易に立ち上がったり、座ったりすることができ、利用者を安全に介助することができる。
（８）垂直部材を天井板に穿設した貫設孔を貫通して配設することにより、天井裏にある桁を有効に利用して垂直部材を固定することができ、天井が低い場所でも設置が可能で省スペース性に優れ、設置スペースを有効活用することができる。
【００３０】
（実施の形態２）
図２は実施の形態２における立ち上がり補助具の取り付け状態を示す要部断面側面図である。尚、実施の形態１と同様のものには同一の符号を付して説明を省略する。
図２において、実施の形態２における立ち上がり補助具１ａが実施の形態１と異なるのは、トイレ２０ａの梁２５間に架設された２本の水平架設部材１１の各々に吊下部４の上端部が掛止されている点である。なお、１１ａは水平架設部材１１の両端部に配設され梁２５の側面にボルトやナット、螺子、釘などの固定手段により固定された水平架設部材１１の固定部である。
２本の水平架設部材１１を用いることにより、便器３０の両側に壁がない場合でも、前後の壁２１の上端部に配設された梁２５を利用して立ち上がり補助具１ａを設置することができる。尚、水平架設部材１１を伸縮自在な構造とした場合、梁２５間の距離によらず立ち上がり補助具１ａを確実に固定することができ汎用性、設置自在性に優れる。
尚、本実施の形態では２本の水平架設部材１１を梁間に配設したが、壁間，桁間，柱間等にも配設することができる。
実施の形態２の立ち上がり補助具の使用方法は実施の形態１と同様なので説明を省略する。また、実施の形態２の立ち上がり補助具も実施の形態１と同様に様々な箇所に設置することができる。
【００３１】
以上のように構成された実施の形態２における立ち上がり補助具によれば、実施の形態１の（４）乃至（７）の作用に加え、以下の作用を有する。
（１）梁間に架設される２本の水平架設部材の各々に吊り輪を懸下するための吊下部が挿通又は掛止されるので、水平架設部材の長手方向の任意の位置に簡便かつ確実に吊り輪を設置することができ汎用性、施工性に優れる。
（２）吊り輪を懸下するための吊下部が挿通又は掛止される２本の水平架設部材が、それぞれ梁間に架設されるので、利用者の体重などを２本の水平架設部材で分担して各々の負荷を低減することができ、耐久性を向上させることができる。
（３）水平架設部材が梁間に固定されるので、設置自在性、施工性に優れる。
【００３２】
（実施の形態３）
図３は実施の形態３における立ち上がり補助具の取り付け状態を示す要部断面側面図である。尚、実施の形態１又は２と同様のものには同一の符号を付して説明を省略する。
図３において、実施の形態３における立ち上がり補助具１ｂが実施の形態２と異なるのは、２本の水平架設部材１１の各々に垂下された垂直部材１２の間に水平横行部材１３が渡設され、その水平横行部材１３の両側に２本の吊下部４の上端部が掛止されている点である。
尚、本実施の形態では２本の水平架設部材１１を梁間に配設したが、壁間，桁間，柱間等にも配設することができる。
実施の形態３の立ち上がり補助具の使用方法は実施の形態１と同様なので説明を省略する。また、実施の形態３の立ち上がり補助具も実施の形態１と同様に様々な箇所に設置することができる。
【００３３】
以上のように構成された実施の形態３における立ち上がり補助具によれば、実施の形態１の（４）乃至（７）の作用に加え、以下の作用を有する。
（１）梁間に架設される２本の水平架設部材の各々に垂直部材が垂下され、その垂直部材の間に渡設された水平横行部材に吊り輪を懸下するための２本の吊下部が挿通又は掛止されるので、水平架設部材の長手方向の任意の位置に垂直部材を介して水平横行部材を渡設させ、簡便かつ確実に吊り輪を設置することができ汎用性、施工性に優れる。
（２）吊り輪を懸下するための吊下部が挿通又は掛止される水平横行部材が、梁間に架設された２本の水平架設部材に垂直部材を介して渡設されるので、利用者の体重などを２本の水平架設部材で分担して水平横行部材や垂直部材、水平架設部材の負荷を低減することができ、耐久性を向上させることができる。
（３）水平横行部材が２本の水平架設部材の各々に垂下された垂直部材に渡設されるので、水平架設部材の取り付け高さに応じて垂直部材の長さを変更することにより、吊り輪の位置を調整することができ、吊下部が極端に長くなったり、短くなったりすることを防止して、吊り輪の可動範囲を最適に保つことができ、体重移動時の動作安定性に優れる。
（４）２本の水平架設部材が梁間に固定され、その水平架設部材の間に水平横行部材が渡設されるので、設置自在性、施工性に優れる。
【００３４】
（実施の形態４）
図４は実施の形態４における立ち上がり補助具の取り付け状態を示す要部断面側面図である。尚、実施の形態１乃至３と同様のものには同一の符号を付して説明を省略する。
図４において、実施の形態４における立ち上がり補助具１ｃが実施の形態２と異なるのは、内部が仕切壁２１ａによって仕切られ複数の便器３０が併設されたトイレ２０ｂの両側の梁２５ａ間に、立ち上がり補助具１ｃの長尺状の２本の水平架設部材１１が配設され、各々の便器３０の位置に対応して複数の水平横行部材１３ａが渡設され、それらの水平横行部材１３ａの両側に２本の吊下部４の上端部が掛止されている点と、一端側が水平架設部材１１の長手方向の要所に固設され、他端側が天井板２３に固定された複数の中間保持部材１４を有する点である。尚、１４ａは中間保持部材１４の上端部に配設され天井板２３にボルトやナット、螺子、釘などの固定手段により固定された中間保持部材１４の固定部である。
尚、本実施の形態では２本の水平架設部材１１を梁間に配設したが、壁間，桁間，柱間等にも配設することができる。
実施の形態４の立ち上がり補助具の使用方法は実施の形態１と同様なので説明を省略する。また、実施の形態４の立ち上がり補助具も実施の形態１と同様に様々な箇所に設置することができる。
【００３５】
以上のように構成された実施の形態４における立ち上がり補助具によれば、実施の形態１の（４）乃至（７）の作用に加え、以下の作用を有する。
（１）梁間に架設される２本の水平架設部材の間に渡設された水平横行部材に吊り輪を懸下するための２本の吊下部が挿通又は掛止されるので、水平架設部材の長手方向の任意の位置に水平横行部材を渡設させ、簡便かつ確実に吊り輪を設置することができ汎用性、施工性に優れる。
（２）吊り輪を懸下するための吊下部が挿通又は掛止される水平横行部材が、梁間のいずれかに架設された２本の水平架設部材に渡設されるので、利用者の体重などを２本の水平架設部材で分担して水平横行部材や水平架設部材の負荷を低減することができ、耐久性を向上させることができる。
（３）２本の水平架設部材が梁間に固定され、その水平架設部材の間に水平横行部材が渡設されるので、設置自在性、施工性に優れる。
（４）一端側が水平架設部材の長手方向の途中に固設された中間保持部材の他端側を天井板に固定することにより、水平架設部材を確実に保持することができ、特に水平架設部材が長尺の場合でもたわみ等の変形を防止することができ、耐荷重の信頼性に優れる。
（５）中間保持部材を有することにより、構造的に大きな負荷の掛けられない壁側への力を分散し耐久性を向上させることができ、建築物の構造的な制約を受けることがなく、設置自在性に優れる。
【産業上の利用可能性】
【００３６】
本考案は、建造物の壁以外に梁，桁，柱等を利用することにより、トイレや風呂場等の各種設置場所の構造の違い或いは便器や浴槽、ベッド等の各種設備の配置の違い等によらず、利用者のすぐ手の届く範囲に吊り輪を簡便かつ確実強固に設置でき、手先や肩等の動きが不自由な障害者、腕の力や足腰が弱い高齢者や病弱者等を安全かつ確実に支持することのできる立ち上がり補助具を提供して各種の建築物や施設等で好適に使用することができる。
【図面の簡単な説明】
【００３７】
【図１】実施の形態１における立ち上がり補助具の取り付け状態を示す要部断面正面図
【図２】実施の形態２における立ち上がり補助具の取り付け状態を示す要部断面側面図
【図３】実施の形態３における立ち上がり補助具の取り付け状態を示す要部断面側面図
【図４】実施の形態４における立ち上がり補助具の取り付け状態を示す要部断面側面図
【符号の説明】
【００３８】
１，１ａ，１ｂ，１ｃ  立ち上がり補助具
２，１２  垂直部材
２ａ，１１ａ，１４ａ  固定部
３，１３，１３ａ  水平横行部材
４  吊下部
５ａ，５ｂ，５ｃ  吊り輪
６ａ，６ｂ  連結部
１１  水平架設部材
１４  中間保持部材
２０，２０ａ  トイレ
２１  壁
２１ａ  仕切壁
２２  ドア
２３  天井板
２３ａ  貫設孔
２４  桁
２５  梁
３０  便器
【図１】
0003121978.tif 000003
【図２】
0003121978.tif 000004
【図３】
0003121978.tif 000005
【図４】
0003121978.tif 000006